(57)【要約】【課題】操作者によらず毎回同じ且つ均一な力で、蓋を原水容器と浄水容器に液密で固定できる浄水器を提供する。【解決手段】原水をフィルター２０でろ過して浄水を生成する浄水器１Ａ、１Ｂ、１Ｃ、１Ｄは、原水貯留とフィルター２０の保持とが可能な、上部が開口した筒状の原水容器１０と、原水容器１０の保持及び浄水貯留が可能な筒状の浄水容器３０と、浄水容器３０の開口を覆う蓋４０Ａ、４０Ｂ、４０Ｃ、４０Ｄと、浄水容器３０及び原水容器１０のそれぞれと前記蓋とを液密に固定可能な固定手段５０とを備え、固定手段５０は浄水容器３０の側壁３０ｓに取り付けられ、前記蓋の側壁４０ｓに設けられた作用部材４６と係合可能であり、前記蓋に浄水を吐出可能な開口が形成されていると共に、前記蓋が前記開口を液密に閉鎖可能な開閉部材を備える。【選択図】図２
2014004564.tif 000002
【特許請求の範囲】
【請求項１】
原水をフィルターでろ過して浄水を生成する浄水器であって、
原水の貯留と前記フィルターの保持とが可能に形成された上部が開口した筒状の原水容器と、
前記原水容器の保持と前記浄水の貯留とが可能に形成された筒状の浄水容器と、
前記浄水容器の開口を覆う蓋と
前記浄水容器及び前記原水容器のそれぞれと前記蓋とを液密に固定可能な固定手段とを備え、
前記固定手段は前記浄水容器の側壁に取り付けられ、前記蓋の側壁に設けられた作用部材と係合可能であり、
前記蓋に浄水を吐出可能な開口が形成されていると共に、前記蓋が前記開口を液密に閉鎖可能な開閉部材を備えることを特徴とする浄水器。
【請求項２】
シール部材をさらに備え、当該シール部材は、前記原水容器及び前記浄水容器のそれぞれと前記蓋との間に設けられていることを特徴とする、請求項１に記載の浄水器。
【請求項３】
前記開閉部材は、前記蓋に形成された開口と前記蓋とを液密に接続可能な栓であることを特徴とする、請求項１に記載の浄水器。
【請求項４】
前記蓋には、前記浄水を吐出可能な第１の開口と第２の開口が形成されており、
前記開閉部材は、前記第１及び第２の開口を同時に開放及び閉鎖の何れか一方を行うことができることを特徴とする、請求項１に記載の浄水器。
【請求項５】
前記開閉部材は、前記蓋の上面に略平行な一方向に沿って移動可能なスライド部材であることを特徴とする、請求項４に記載の浄水器。
【請求項６】
前記開閉部材は、前記浄水容器の中心軸を中心として回動可能な回転部材であることを特徴とする、請求項４に記載の浄水器。
【請求項７】
前記開閉部材は、前記第１及び第２の開口を閉鎖するシール部材を備えることを特徴とする、請求項５及び６の何れかに記載の浄水器。
【請求項８】
前記原水容器及び前記浄水容器は有底円筒状に形成されていることを特徴とする、請求項１に記載の浄水器。
【請求項９】
前記原水容器及び前記浄水容器は有底角筒状に形成されていることを特徴とする、請求項１に記載の浄水器。
【請求項１０】
前記固定手段及び前記作用部材は金属製であることを特徴とする、請求項１に記載の浄水器。
【発明の詳細な説明】
【技術分野】
【０００１】
本発明は、浄水器に関する。
【背景技術】
【０００２】
従来から、一度容器に貯めた水道水をフィルターでろ過し、得られた浄水を貯水する浄水器が知られている。図１２に、特許文献１に提案されている浄水器を示す。浄水器１０１は、ろ過前の原水である水道水を貯留する原水容器であるロート（以降、「原水容器」）１１２、ろ材を収納しているカートリッジ（以降、「フィルターカートリッジ」）１０２、及び原水容器１１２とフィルターカートリッジ１０２を収容すると共にろ過された水道水である浄水を貯留する浄水容器１１１を含む。
【０００３】
フィルターカートリッジ１０２は、原水容器１１２の底部のほぼ中央部に、フィルターカートリッジ１０２の上部（以降、「カートリッジ上部」）１０２ｔ及び下部（以降、「カートリッジ下部」）１０２ｂがそれぞれ原水容器１１２の内部及び外部に位置するように、着脱自在に装着されている。
【０００４】
なお、浄水容器１１１は、原水容器１１２とカートリッジ上部１０２ｔとを収容する原水収容部１１１ｔと、カートリッジ下部１０２ｂを収容すると共に浄水を貯留する浄水収容部１１１ｂとが一体的に構成されている。原水容器１１２に注ぎ込まれた水道水は原水容器１１２で貯留されると同時に、自重によりカートリッジ上部１０２ｔ及びカートリッジ下部１０２ｂを通過して、フィルターカートリッジ１０２でろ過されて浄水収容部１１１ｂに貯留される。
【０００５】
浄水器１０１から浄水を注ぐ際は、浄水器１０１をその注水口１２０が下方になるように傾けるだけで良い。浄水収容部１１１ｂに貯留された浄水は、浄水収容部１１１ｂから浄水通路部１１１ｐを経て、注水口１２０へと移動し、浄水器１０１の外部に吐出される。浄水通路部１１１ｐは、原水容器１１２の外面と浄水容器１１１の側壁の内面との間に形成される、浄水器１０１から外部に開かれた空間である。
【０００６】
浄水器１０１は、ろ過中はもちろんろ過が完了した後も、浄水容器１１１の底部１１１ｆを下にした状態で、冷蔵庫等の保管場所に収納する必要がある。そのため、冷蔵庫内で浄水器１０１の保管場所が限られる上に、収納効率化に限界があった。
【０００７】
冷蔵庫内部における収納効率化のために、横向きに設置しても水が漏れない浄水器が提案されている。図１３に、特許文献２に提案されている浄水器を示す。浄水器２０１は、ろ過前の原水である水道水を貯留する原水室Ｓ１、ろ材を収納している浄水カートリッジ２９０、及び原水室Ｓ１と浄水カートリッジ２９０を収容すると共にろ過された水道水である浄水を貯留する外容器２２０を含む。浄水器２０１において、浄水室Ｓ２の反対側に注水口２５３ａが設けられている。外容器２２０の開口及び注水口２５３ａは蓋２８０によって閉鎖される。蓋２８０はねじ部を備え、螺合によって外容器２２０に取り付けられる。浄水器２０１は、浄水室Ｓ２を下にして、横向きに設置することが可能である。
【先行技術文献】
【特許文献】
【０００８】
【特許文献１】特開２０１０−１６２５１３号公報
【特許文献２】特開２０１１−８３６８０号公報
【発明の概要】
【発明が解決しようとする課題】
【０００９】
しかし、ねじ式の蓋は操作者によって閉める角度が異なる。そのため、場合によっては水漏れの生じる懸念がある。
【００１０】
また、ねじ式の蓋は、閉める際に蓋に加えられる締め付け力が操作者によって異なる。言い換えると、閉められた蓋を開けるために必要な力は一定ではない。そのため、例えば、蓋を閉めた操作者と蓋を開ける操作者とが異なる場合、蓋を開けることが困難な場合があり得る。また、同一の操作者が開け閉めを行う場合でも、常に均一な力で締め付けることは困難である。
【００１１】
本発明の目的は、操作者によらず毎回同じ且つ均一な力で、蓋を原水容器と浄水容器に液密で固定できる浄水器を提供することにある。
【課題を解決するための手段】
【００１２】
上記の課題を解決する為に、本発明に係る浄水器は、原水をフィルターでろ過して浄水を生成する浄水器であって、
原水の貯留と前記フィルターの保持とが可能に形成された上部が開口した筒状の原水容器と、
前記原水容器の保持と前記浄水の貯留とが可能に形成された筒状の浄水容器と、
前記浄水容器の開口を覆う蓋と
前記浄水容器及び前記原水容器のそれぞれと前記蓋とを液密に固定可能な固定手段とを備え、
前記固定手段は前記浄水容器の側壁に取り付けられ、前記蓋の側壁に設けられた作用部材と係合可能であり、
前記蓋に浄水を吐出可能な開口が形成されていると共に、前記蓋が前記開口を液密に閉鎖可能な開閉部材を備える。
【発明の効果】
【００１３】
本発明に係る浄水器によると、操作者によらず毎回同じ且つ均一な力で、蓋を原水容器と浄水容器に液密で固定できる。
【図面の簡単な説明】
【００１４】
【図１】本発明の実施の形態１に係る浄水器において、浄水容器に蓋が取り付けられた状態を示す拡大斜視図である。
【図２】図１の浄水器の内部構造を示す部分縦断面図である。
【図３】本発明の実施の形態２に係る浄水器の縦断面を示す斜視図である。
【図４】図３の浄水器において、浄水容器に蓋が取り付けられた状態を示す拡大斜視図である。
【図５】図４において、浄水器を直線Ｖ−Ｖで切った縦断面図である。
【図６】図３の浄水器の蓋のスライド部材が開放位置にある状態を示す拡大斜視図である。
【図７】図６の浄水器の内部構造を示す部分縦断面図である。
【図８】実施の形態２の変形例に係る浄水器の蓋の回転部材が閉鎖位置にある状態を示す斜視図である。
【図９】図８の浄水器の、蓋の回転部材が開放位置にある状態を示す斜視図である。
【図１０】本発明の実施の形態３に係る浄水器において、浄水容器に蓋が取り付けられた状態を示す斜視図である。
【図１１】図１０の浄水器において、浄水容器から蓋が取り外された状態を示す斜視図である。
【図１２】従来の浄水器の内部構造を示す縦断面図である。
【図１３】従来の別の浄水器の内部構造を示す縦断面図である。
【発明を実施するための形態】
【００１５】
（実施の形態１）
以下に図１及び図２を参照して、本発明の実施の形態１に係る浄水器について説明する。図１及び図２に、本実施の形態に係る浄水器１Ａの一部を示す。浄水器１Ａの基本的な構造は、後述する本発明の実施の形態２に係る浄水器１Ｂ（図３）と同様であるので、先ず、図３を援用して浄水器１Ａの基本的な構造を説明する。
【００１６】
図３に示すように、浄水器１Ａ（浄水器１Ｂ）は、上部にろ過前の原水である水道水を貯留する原水容器１０と、原水容器１０とフィルターカートリッジ２０とを収容すると共にろ過された水道水（浄水）を貯留する浄水容器３０と、浄水容器３０の上端部３２により規定される開口を覆う蓋４０Ａ（蓋４０Ｂ）とを備えている。原水容器１０の底部に、ろ材を収納しているフィルターカートリッジ２０が交換可能に取り付けられている。浄水器１Ａは、浄水容器３０と蓋４０Ａとで全体として、円柱状の外観を有している。浄水器１Ａの注水口４８Ａ（図１）は、蓋４０Ａに設けられている。注水口４８Ａについては後ほど説明する。
【００１７】
浄水容器３０は、有底円筒状の形状を有し、底部３０ｂと、底部３０ｂの周縁から中心軸Ａｘに沿って立ち上がる側壁３０ｓとを含む。浄水容器３０は、浄水が貯留される浄水貯留部３０ａと、注水時に浄水の通路として機能する浄水通路部３０ｐとを含む。浄水貯留部３０ａは、浄水容器３０において、原水容器１０とフィルターカートリッジ２０との下方に位置する部分である。浄水通路部３０ｐは、原水容器１０の外面と浄水容器３０の側壁３０ｓの内面との間に形成される平面視環状の円筒状空間である。浄水通路部３０ｐは、注水口４８Ａと連通している。
【００１８】
浄水器１Ａから浄水を注ぐ際には、浄水器１Ａを注水口４８Ａ（図１）が下方となるように傾けることにより、浄水貯留部３０ａに貯留された浄水が、浄水通路部３０ｐを経て注水口４８Ａへと移動する。なお浄水器１Ａは、蓋４０Ａを浄水容器３０に取り付けた状態で横向きに、つまり側壁３０ｓを下にして設置しても、注水口４８Ａや、蓋４０Ａと浄水容器３０との界面から水が漏れない構造を有している。
【００１９】
次に、図１を参照して、蓋４０Ａを浄水容器３０に取り付ける方法について説明する。蓋４０Ａは、浄水容器３０上端の開口を覆った状態で、固定手段５０及び５０により、浄水容器３０に取り付けられている。固定手段５０として、「パッチン錠」と通称されるタイプの金属製の錠が採用されており、以下、固定手段５０をパッチン錠５０と呼ぶ。パッチン錠５０は、レバー５２と、レバー５２に回動可能に取り付けられた角形のリング状部材５４とを含み、固定部材５６によって浄水容器３０の側壁３０ｓにおける上端部３２の近傍に取り付けられている。蓋４０Ａの側面４０ｓには、リング状部材５４と係合する作用部材４６及び４６が設けられている。
【００２０】
パッチン錠５０においては、力点であるレバー５２にかけられた力が、支点である固定部材５６で受け止められ且つ増大されて、リング状部材５４を介して作用点である作用部材４６を固定部材５６側に強く、ただし均等な力で引きつける。作用部材４６及び４６によって、蓋４０Ａは浄水容器３０の上端部３２に均等に且つ、強く押しつけられて、液密に接合される。
【００２１】
よって、蓋４０Ａの浄水容器３０に対する取り付けは、蓋４０Ａを、作用部材４６と浄水容器３０の固定部材５６とが対向するように浄水容器３０の上端部３２に載置した状態で、リング状部材５４を作用部材４６に引っ掛け、その状態でレバー５２を押し下げることにより行われる。蓋４０Ａの浄水容器３０からの取り外しに際しては、レバー５２を引き上げ、その状態でリング状部材５４を作用部材４６から取り外す。
【００２２】
蓋４０Ａと原水容器１０との間、及び蓋４０Ａと浄水容器３０との間にはそれぞれ、後述するシール部材が設けられている。蓋４０Ａを浄水容器３０に載置した状態でレバー５２を押し下げることにより、シール部材が蓋４０Ａと原水容器１０との間、及び蓋４０Ａと浄水容器３０との間でそれぞれ圧縮される。この構成により、蓋４０Ａは、原水容器１０と浄水容器３０とに対して液密に取り付けられる。
【００２３】
浄水器１Ａの注水口４８Ａは、蓋４０Ａの上面４０ｕに設けられた孔（開口）である。注水口４８Ａは、注水口４８Ａを液密に閉鎖可能な開閉部材である栓４２によって覆われている。注水口４８Ａには、蓋４０Ａと栓４２とを封止するシール部材４４が設けられている。注水口４８Ａは、栓４２を操作することにより開閉される。注水口４８Ａは、浄水の注ぎ口として機能すると共に、浄水器１Ａの外部から浄水通路部３０ｐ（図２）への空気の流入口としても機能する。つまり、浄水器１Ａを傾けた状態で注水口４８Ａの下方に位置する部分から浄水が流出すると共に、注水口４８Ａの上方に位置する部分から空気が流入する。注水口４８Ａの形状を、長方形や長円形等のアスペクト比の大きな形状とすると、注水口４８Ａからの空気の流入が円滑になり、浄水を注ぐ際の脈動が生じにくい。
【００２４】
上述のように構成された浄水器１Ａにおいて、蓋４０Ａの浄水容器３０に対する取り付け及び取り外しは、パッチン錠５０のレバー５２の押し下げ及び引き上げにより行われるので、操作が簡便である。また、従来のねじ式の蓋を備える浄水器と異なり、蓋４０Ａの浄水容器３０に対する取り付けの際に加えられる力はほぼ一定であると共に、蓋４０Ａの取り外しに最小限必要とされる力もほぼ一定である。そのため、蓋４０Ａを取り付けた操作者と蓋４０Ａを取り外す操作者とが異なる場合でも、蓋４０Ａの取り外しが困難になることはない。さらに、従来のねじ式の蓋を備える浄水器と異なり、蓋４０Ａの浄水容器３０に対する取り付け姿勢（角度）が操作者によって異なることはないので、浄水器１Ａを横向きに設置しても、水漏れが生じにくい。
【００２５】
次に図２を参照して、蓋４０Ａと原水容器１０、及び蓋４０Ａと浄水容器３０とのシール構造について説明する。蓋４０Ａと原水容器１０との間にはシール部材４９が設けられており、蓋４０Ａと浄水容器３０との間にはシール部材３４が設けられている。シール部材４９は、上述のパッチン錠５０を用いての蓋４０Ａの浄水容器３０に対する取り付け動作によって蓋４０Ａと原水容器１０との間で圧縮されて、蓋４０Ａと原水容器１０とを封止する。同様にシール部材３４は、蓋４０Ａと浄水容器３０との間で圧縮されて、蓋４０Ａと浄水容器３０とを封止する。
【００２６】
上述の構成により、浄水器１Ａを横向きに設置しても、蓋４０Ａと原水容器１０との突き合わせ面、及び蓋４０Ａと浄水容器３０との突き合わせ面から水が漏れることはない。さらに、浄水を注ぐために浄水器１Ａを傾けても、原水容器１０内部の原水が蓋４０Ａと原水容器１０との突き合わせ面を経て浄水通路部３０ｐに流入することはない。つまり、原水容器１０に原水が残っている（ろ過が未完了の）状態で浄水器１Ａから浄水を注いでも、注がれた浄水に原水が混入することはない。
【００２７】
さらに、パッチン錠５０を用いた蓋４０Ａの浄水容器３０に対する取り付けでは、シール部材４９及びシール部材３４には中心軸Ａｘと略平行な方向に力が加えられる。従来の、浄水容器に対して蓋をねじ付ける浄水器に比して、シール部材に局所的な磨耗が生じにくく、蓋４０Ａと浄水容器３０との界面からの水漏れが生じにくい。
【００２８】
なお、図１及び図２に示す例ではパッチン錠５０は２個設けられており、一方のパッチン錠５０と他方のパッチン錠５０との間の距離が最大となる位置に取り付けられている。しかしながら、蓋４０Ａの浄水容器３０に対する取り付け構造はこれに限られない。例えば、一方のパッチン錠５０を、蓋４０Ａと浄水容器３０とを連結するヒンジに置き換えてもよい。あるいは、パッチン錠５０を樹脂製の留具に置き換えて、留具の弾性を利用して蓋４０Ａを浄水容器３０に対して取り付けるように構成してもよい。さらに、冷水筒などに用いられている係止爪をボタンで動かす構造でも良い。
【００２９】
（実施の形態２）
以下に図３、図４、図５、図６、図７、図８、及び図９を参照して、本発明の実施の形態２に係る浄水器について説明する。まず図３、図４、図５、図６、及び図７を参照して本実施の形態に係る浄水器の構成について説明する。その後図８及び図９を参照して、本実施の形態に係る浄水器の変形例の構成について説明する。
【００３０】
図３に、本実施の形態に係る浄水器１Ｂの基本的な構造を示す。浄水器１Ｂは、蓋４０Ａが蓋４０Ｂに置き換えられる点、特に注水口の構造を除いて上述の浄水器１Ａと同様に構成されている。以降、蓋４０Ｂ及び注水口の構造に関して重点的に述べる。
【００３１】
浄水器１Ｂにおいては、上述の浄水器１Ａにおいてと同様に、平面視環状の浄水通路部３０ｐが、注水時の浄水の流出通路として機能すると共に、浄水器１Ｂの外部からの空気の流入通路としても機能する。但し、上述の浄水器１Ａにおいて、蓋４０Ａに設けられた注水口４８Ａが浄水の注ぎ口と空気の流入口とを兼ねているのに対して、浄水器１Ｂにおいては、蓋４０Ｂに浄水の注ぎ口と空気の流入口とが別々に設けられている。
【００３２】
具体的には、蓋４０Ｂに、複数（２個）の開口４８Ｂ１及び４８Ｂ２が設けられている。開口４８Ｂ１及び４８Ｂ２はそれぞれ、浄水通路部３０ｐと連通している。開口４８Ｂ１及び４８Ｂ２のうちの一方が浄水の注ぎ口として機能し、他方が空気の流入口として機能する。
【００３３】
蓋４０Ｂはさらに、開口４８Ｂ１及び４８Ｂ２を液密に閉鎖可能な開閉部材であるスライド部材４３を含む。スライド部材４３は、蓋４０Ｂの上面４０ｕに略平行な一方向に沿って、所定の範囲内で移動可能に構成されている。スライド部材４３の移動によって、開口４８Ｂ１及び４８Ｂ２は共に、浄水器１Ｂの外部に対して開放されたり閉鎖されたりする。図３において、開口４８Ｂ１及び４８Ｂ２は、浄水器１Ｂの外部に対して開放されている。この状態でのスライド部材４３の位置を、以降、開放位置と呼ぶ。
【００３４】
図４に、蓋４０Ｂが浄水容器３０に取り付けられた状態を示す。開口４８Ｂ１及び４８Ｂ２（不図示）は、スライド部材４３によって浄水器１Ｂの外部に対して閉鎖されている。この状態でのスライド部材４３の位置を、以降、閉鎖位置と呼ぶ。なお、スライド部材４３は、その上面４３ｕから上方に突出する突起４３ｔを含む。浄水器１Ｂのユーザは、突起４３ｔを把持することにより、スライド部材４３の移動を円滑に行える。スライド部材４３の上面４３ｕは、蓋４０Ｂの上面４０ｕと略面一に形成されている。
【００３５】
図５に、スライド部材４３が閉鎖位置に位置する状態での、蓋４０Ｂ（図４）と浄水容器３０との縦断面を示す。スライド部材４３は、その下面４３ｂから下方に突出する２個の突起４３ｂ１及び４３ｂ２を含む。突起４３ｂ１及び４３ｂ２にはそれぞれ、シール部材４１ａ及び４１ｂが嵌合されている。シール部材４１ａ及び４１ｂはそれぞれ、開口４８Ｂ１及び４８Ｂ２を浄水器１Ｂの外部に対して液密に閉鎖する。
【００３６】
蓋４０Ｂには、スライド部材４３を受け入れる切欠部４０Ｂｒ（図３）が形成されている。切欠部４０Ｂｒは、ベース部４０Ｂｃの両側（図５における左右）に２個の切欠４０Ｂｒ１及び４０Ｂｒ２が形成されてなる。スライド部材４３は、シール部材４１ｂがベース部４０Ｂｃの側壁４０Ｂｃ２に当接する位置（図３、図６、図７）と、シール部材４１ａがベース部４０Ｂｃの側壁４０Ｂｃ１に当接する位置（不図示）との間で移動可能である。
【００３７】
次に、図６及び図７を参照して、スライド部材４３が開放位置に位置する状態での、蓋４０Ｂの浄水容器３０に対する取り付け状態について説明する。開口４８Ｂ１及び４８Ｂ２のうち、開口４８Ｂ２は完全に露出している。一方、開口４８Ｂ１はスライド部材４３の下方に位置しており、浄水器１Ｂの外部に対して開放されている。浄水器１Ｂを、開口４８Ｂ２が下方となるように傾けると、開口４８Ｂ２が浄水の注ぎ口として機能し、開口４８Ｂ１が空気の流入口として機能する。
【００３８】
続いて、図８及び図９を参照して、本実施の形態の変形例に係る浄水器の構成について説明する。浄水器１Ｃは、蓋４０Ｂ及びスライド部材４３がそれぞれ、蓋４０Ｃ及び回転部材４３Ｃに置き換えられる点を除いて上述の浄水器１Ｂと同様に構成されている。以降、蓋４０Ｃ及び回転部材４３Ｃに関して重点的に述べる。
【００３９】
蓋４０Ｃにおいては、上述の蓋４０Ｂと同様に、２個の開口４８Ｂ１及び４８Ｂ２が設けられている。２個の開口４８Ｂ１及び４８Ｂ２が共に、浄水器１Ｃの外部に対して開放されたり閉鎖されたりする点も同様である。但し、上述の蓋４０Ｂにおいて２個の開口４８Ｂ１及び４８Ｂ２が、スライド部材４３の、蓋４０Ｂの上面４０ｕに略平行な一方向に沿う移動によって開閉されるのに対して、蓋４０Ｃにおいては、開口４８Ｂ１及び４８Ｂ２は、回転部材４３Ｃの、中心軸Ａｘ（図３）を中心とした回動によって開閉される。
【００４０】
図８に、開口４８Ｂ１及び４８Ｂ２（不図示）が、回転部材４３Ｃによって浄水器１Ｃの外部に対して閉鎖されている状態を示す。回転部材４３Ｃを、中心軸Ａｘ（図３）を中心として回動させると、図９に示すように、開口４８Ｂ１及び４８Ｂ２が共に露出されて、浄水器１Ｃの外部に対して開放される。浄水器１Ｃにおいては、開口４８Ｂ１及び４８Ｂ２のうちのどちらを浄水の注ぎ口として使用しても構わない。浄水の注ぎ口として使用されなかった方の開口が、空気の流入口として機能する。
【００４１】
（実施の形態３）
以下に図１０及び図１１を参照して、本発明の実施の形態３に係る浄水器について説明する。浄水器１Ｄの基本的な構造は、図３を参照して説明した上述の浄水器１Ａ、浄水器１Ｂ、及び浄水器１Ｃの構造と同様であるものの、全体として角柱状の外観を有している点、及び蓋の構造が異なる。
【００４２】
図１０に示すように、浄水器１Ｄは、有底角筒状の浄水容器３０Ｄと、浄水容器３０Ｄの上端部により規定される開口を覆う蓋４０Ｄとを含む。浄水容器３０Ｄの内部には、原水容器１０Ｄ及びフィルターカートリッジ２０が収容されている。原水容器１０Ｄの外面と浄水容器３０Ｄの側壁の内面との間に、浄水通路部３０Ｄｐが形成されている。浄水通路部３０Ｄｐは、蓋４０Ｄに設けられた、浄水器１Ｄの注水口４８Ｄと連通している。
【００４３】
浄水容器３０Ｄは、四角形の２組の対角の１組がいわば面取りされたような六角形状の横断面を有している。この面取りされた互いに対向する側周部３０Ｄｃそれぞれに、上述の浄水容器３０と同様に、パッチン錠５０が取り付けられている。つまり、２個のパッチン錠５０及び５０は、互いに対向するように浄水容器３０Ｄに取り付けられている。
【００４４】
蓋４０Ｄは、浄水容器３０Ｄの横断面の輪郭に対応した形状を有し、平面視六角形状である。蓋４０Ｄは第１の蓋部材４０Ｄ１と第２の蓋部材４０Ｄ２とを含む。これらの蓋部材については後程説明する。蓋４０Ｄは、互いに対向する側周部４０Ｄｃ及び４０Ｄｃを有する。側周部４０Ｄｃにはそれぞれ、浄水容器３０Ｄの側周部３０Ｄｃに取り付けられたパッチン錠５０と係合する作用部材４６が設けられている。
【００４５】
第１の蓋部材４０Ｄ１は、注水口４８Ｄを除いて、浄水容器３０Ｄの上端の開口を覆う。第２の蓋部材４０Ｄ２は、注水口４８Ｄを液密に閉鎖可能な開閉部材である。注水口４８Ｄは、第２の蓋部材４０Ｄ２を取り付けまたは取り外しすることにより開閉される。第２の蓋部材４０Ｄ２は、その上面から上方に突出する突起４０Ｄ２ｔを含む。浄水器１Ｄのユーザは、突起４０Ｄ２ｔを把持することにより、注水口４８Ｄの開閉を円滑に行える。
【００４６】
注水口４８Ｄは、上述の浄水器１Ａにおける注水口４８Ａと同様に、浄水通路部３０Ｄｐと連通すると共に、浄水の注ぎ口と空気の流入口とを兼ねている。図１０に示す例においては、注水口４８Ｄは、平面視略三角形の輪郭を有している。
【００４７】
次に、図１１を参照して、浄水器１Ｄの内部構造について説明する。図１１においては、蓋４０Ｄが取り外された状態の浄水容器３０Ｄを斜め上から見た状態が示されている。浄水容器３０Ｄに収容されている原水容器１０Ｄは、浄水容器３０Ｄの横断面においてさらに１角が面取りされたような７角形状の横断面を有している。この第３の面取り部１０Ｄｃと、浄水容器３０Ｄの１つの角部との間に、開口Ｏｐが形成されている。開口Ｏｐは、注水口４８Ｄと連通すると共に、浄水通路部３０Ｄｐと連通している。図１１に示す例においては、開口Ｏｐは、平面視略三角形の輪郭を有している。
【００４８】
注水口４８Ｄにおいて浄水の注ぎ口として機能する部分は、略三角形の注水口４８Ｄにおける頂点の近傍部分である。一方、注水口４８Ｄにおいて空気の流入口として機能するのは、略三角形の注水口４８Ｄにおける底辺の近傍部分であり、浄水の注ぎ口として機能する部分に比して面積が大きい。この構成により、注水口４８Ｄからの空気の流入が円滑になり、浄水を注ぐ際の脈動が生じにくい。
【００４９】
なお、ろ過が完了した後であれば、図１１に示すような、浄水容器３０Ｄから蓋４０Ｄが取り外された状態で浄水を注ぐことも可能である。この場合は、略三角形の開口Ｏｐが注水口（浄水の注ぎ口兼空気の流入口）として機能する。さらに、原水容器１０Ｄの７角形状をした側壁の外面と浄水容器３０Ｄの側壁の内面との間のわずかな隙間が、外部からの空気の流入口として機能する。そのため、浄水を注ぐ際の脈動がさらに生じにくくなる。
【００５０】
なお、浄水中及び浄水器１Ｄを保管する際は、蓋４０Ｄで浄水容器３０Ｄの開口部全体を封止するとよい。
【産業上の利用可能性】
【００５１】
本発明は、主に家庭で水道水のろ過に用いられる浄水器に利用することができる。
【符号の説明】
【００５２】
１Ａ、１Ｂ、１Ｃ、１Ｄ  浄水器
１０、１０Ｄ  原水容器
１０Ｄｃ  面取り部
２０  フィルターカートリッジ
３０、３０Ｄ  浄水容器
３０Ｄｃ  側周部
３０ａ  浄水貯留部  
３０ｂ  底部
３０ｐ、３０Ｄｐ  浄水通路部
３０ｓ  側壁
３２  上端部
３４、４９、４１ａ、４１ｂ、４４  シール部材
４０Ａ  ４０Ｂ、４０Ｃ、４０Ｄ  蓋
４０Ｂｃ  ベース部
４０Ｂｃ１、４０Ｂｃ２  側壁
４０Ｂｒ  切欠部
４０Ｂｒ１、４０Ｂｒ２  切欠
４０ｓ、４０Ｄｓ  （蓋の）側面
４０ｕ、４３ｕ  上面
４２  栓
４３  スライド部材
４３Ｃ  回転部材
４３ｔ、４０Ｄ２ｔ  突起
４３ｂ  下面
４３ｂ１、４３ｂ２  突起
４６  作用部材
４８Ａ、４８Ｂ１、４８Ｂ２、４８Ｄ  注水口
５０  固定手段（パッチン錠）
５２  レバー
５４  リング状部材
５６  固定部材
Ｏｐ  開口
Ａｘ  中心軸
【図１】
2014004564.tif 000003
【図２】
2014004564.tif 000004
【図３】
2014004564.tif 000005
【図４】
2014004564.tif 000006
【図５】
2014004564.tif 000007
【図６】
2014004564.tif 000008
【図７】
2014004564.tif 000009
【図８】
2014004564.tif 000010
【図９】
2014004564.tif 000011
【図１０】
2014004564.tif 000012
【図１１】
2014004564.tif 000013
【図１２】
2014004564.tif 000014
【図１３】
2014004564.tif 000015